(57)【要約】【課題】複数の電子回路に対し同じ基準電圧をノイズ干渉を受けずに供給する。【解決手段】高周波回路２００及びデジタル回路３００と、２個のバッファ回路２１０，３１０と、制御信号により基準電圧Ｖｒｅｆの電圧値を制御可能な基準電圧発生回路１００と、を含み、高周波回路２００及びデジタル回路３００は、基準電圧発生回路１００から各々バッファ回路２１０，３１０を介して基準電圧Ｖｒｅｆを供給する高周波モジュールを提供する。【選択図】図１
2008172473.tif 000002
【特許請求の範囲】
【請求項１】
ｎ個（ｎは２以上の自然数）の電子回路と、
ｎ個のバッファ回路と、
基準電圧を発生する基準電圧発生回路と、
を含み、
前記ｎ個の電子回路は、前記基準電圧発生回路から各々前記バッファ回路を介して前記基準電圧を供給される、
ことを特徴とする電子モジュール。
【請求項２】
ｎ個（ｎは２以上の自然数）の電子回路と、
ｎ個のバッファ回路と、
基準電圧を発生する基準電圧発生回路と、
を含み、
前記ｎ個の電子回路のうち少なくとも１個の電子回路は、高周波回路であり、
前記ｎ個の電子回路は、前記基準電圧発生回路から各々前記バッファ回路を介して前記基準電圧を供給される、
ことを特徴とする高周波モジュール。
【請求項３】
請求項２に記載の高周波モジュールにおいて、
前記基準電圧発生回路は、
制御信号により前記基準電圧の電圧値を調整できる、
ことを特徴とする高周波モジュール。
【請求項４】
請求項３に記載の高周波モジュールにおいて、
前記基準電圧発生回路は、
前記制御信号により、
前記高周波回路が動作するのに最適な電圧値に変更可能である、
ことを特徴とする高周波モジュール。
【請求項５】
請求項３または４に記載の高周波モジュールにおいて、
前記高周波回路から出力される信号を受け取る前記電子回路は、
前記信号に基づき前記制御信号を生成する、
ことを特徴とする高周波モジュール。
【請求項６】
請求項３から５のいずれか一項に記載の高周波モジュールにおいて、
前記高周波モジュールは、
環境温度を測定する温度センサを有し、
前記環境温度に基づき前記制御信号を生成する、
ことを特徴とする高周波モジュール。
【請求項７】
請求項３から５のいずれか一項に記載の高周波モジュールにおいて、
前記高周波モジュールは、
経時変化を測定する経時カウンタを有し、
前記経時変化に基づき前記制御信号を生成する、
ことを特徴とする高周波モジュール。
【請求項８】
請求項３から７のいずれか一項に記載の高周波モジュールを含むことを特徴とする電子機器。
【発明の詳細な説明】
【技術分野】
【０００１】
本発明は、複数の電子回路を有する電子モジュール、高周波モジュール及び電子機器に関する。
【背景技術】
【０００２】
高周波回路及び高周波回路から出力された信号を解読するデジタル回路などの電子回路を含む高周波モジュールにおいて、従来は、図７に示すように、高周波回路２００とデジタル回路３００のそれぞれに専用の電圧発生回路２２０，３２０を設けており、それぞれの電圧発生回路にかかる電圧を特性に応じて個々に変えることはなかった。
【０００３】
この問題を解決するために、例えば特許文献１には、高周波回路の電圧制御を情報格納テーブルに基づき制御する方法が記載されている。
【０００４】
【特許文献１】特許第３６６４９９０号公報
【発明の開示】
【発明が解決しようとする課題】
【０００５】
しかしながら、特許文献１では、高周波増幅器の電圧制御を行うものであり、それ以外の電子回路の電圧制御を行っていない。また、高周波回路とデジタル回路への電圧供給を１つの電圧発生回路で行うと、相互にノイズの干渉を受けやすいという問題があった。
【０００６】
本発明は、このような事情に鑑みてなされたものであり、複数の電子回路に対し同じ基準電圧をノイズ干渉を受けずに供給できる電子モジュール、高周波モジュール及び電子機器を提供することを目的とするものである。
【課題を解決するための手段】
【０００７】
上記課題を解決するために、本発明の電子モジュールでは、ｎ個（ｎは２以上の自然数）の電子回路と、ｎ個のバッファ回路と、基準電圧を発生する基準電圧発生回路と、を含み、前記ｎ個の電子回路は、前記基準電圧発生回路から各々前記バッファ回路を介して前記基準電圧を供給されることを要旨とする。
【０００８】
この構成によれば、同じ電位の基準電圧を相互にノイズ干渉を受けずに複数の電子回路に供給することができるので、特定の電子回路のために基準電圧を変更しても他の全ての電子回路にも同じ基準電圧を供給でき、電子回路間の信号レベルを保証できる。
【０００９】
また、本発明の高周波モジュールでは、ｎ個（ｎは２以上の自然数）の電子回路と、ｎ個のバッファ回路と、基準電圧を発生する基準電圧発生回路と、を含み、前記ｎ個の電子回路のうち少なくとも１個の電子回路は、高周波回路であり、前記ｎ個の電子回路は、前記基準電圧発生回路から各々前記バッファ回路を介して前記基準電圧を供給される。
【００１０】
この構成によれば、同じ電位の基準電圧を相互にノイズ干渉を受けずに複数の電子回路に供給することができるので、高周波回路のために基準電圧を変更しても他の全ての電子回路にも同じ基準電圧を供給でき、電子回路間の信号レベルを保証できる。
【００１１】
また、本発明の高周波モジュールでは、前記基準電圧発生回路は、制御信号により前記基準電圧の電圧値を調整できる。
【００１２】
この構成によれば、基準電圧発生回路が発生する基準電圧の電圧値を外部からの制御信号により容易に変更できる。
【００１３】
また、本発明の高周波モジュールでは、前記基準電圧発生回路は、前記制御信号により、前記高周波回路が動作するのに最適な電圧値に変更可能である。
【００１４】
この構成によれば、高周波回路が動作するのに最適な電圧値を外部からの制御信号により容易に変更できる。
【００１５】
また、本発明の高周波モジュールでは、前記高周波回路から出力される信号を受け取る前記電子回路は、前記信号に基づき前記制御信号を生成する。
【００１６】
この構成によれば、高周波回路から出力される信号を受け取る側の電子回路が解読し、信号レベルを保つのに必要な基準電圧となるように制御信号を生成できるので、基準電圧を下げることも可能となり、低消費電力化を実現できる。
【００１７】
また、本発明の高周波モジュールでは、前記高周波モジュールは、環境温度を測定する温度センサを有し、前記環境温度に基づき前記制御信号を生成する。
【００１８】
この構成によれば、環境温度の変動に対し必要な基準電圧を発生するように制御信号を生成できるので、環境温度の変動に強い高周波モジュールを提供できる。
【００１９】
また、本発明の高周波モジュールでは、前記高周波モジュールは、経時変化を測定する経時カウンタを有し、前記経時変化に基づき前記制御信号を生成する。
【００２０】
この構成によれば、経時変化に依存する基準電圧を発生するように制御信号を生成できるので、経時変化に強い高周波モジュールを提供できる。
【００２１】
また、本発明の電子機器では、上記のいずれかに記載の高周波モジュールを含む。
【発明を実施するための最良の形態】
【００２２】
以下、本発明を具体化した実施形態について図面に従って説明する。
【００２３】
（第１実施形態）
＜高周波モジュールの構成＞
まず、第１実施形態に係る高周波モジュールの構成について、図１を参照して説明する。図１は、本発明の第１実施形態に係る高周波モジュールの構成を示すブロック図である。図１に示すように、高周波モジュール１は、基準電圧発生回路１００と、ｎ＝２個のバッファ回路２１０，３１０と、高周波回路２００と、電子回路であるデジタル回路３００と、アンテナ４００と、から構成され、外部のホスト回路５００により制御されている。
【００２４】
高周波回路２００は、アンテナ４００で受信したアナログ信号Ｓｎ１をデジタル信号Ｓｎ２に変換し、デジタル回路３００は、デジタル信号Ｓｎ２を解読しデータ信号Ｓｎ３をホスト回路５００に出力する。基準電圧発生回路１００は、ホスト回路５００から出力される制御信号Ｃｎｔｌ［１：３］に基づき基準電圧Ｖｒｅｆを発生し、バッファ回路２１０を介して高周波回路２００に基準電圧Ｖｒｅｆを供給し、バッファ回路３１０を介してデジタル回路３００に基準電圧Ｖｒｅｆを供給する。
【００２５】
＜基準電圧発生回路の構成＞
次に、基準電圧発生回路の構成について図２を参照して説明する。図２は、基準電圧発生回路の構成を示す回路図である。図２に示すように、基準電圧発生回路１００は、制御信号Ｃｎｔｌ［１］〜［３］を記憶するためのレジスタ１０１〜１０３と、レジスタ１０１〜１０３に記憶された制御信号Ｃｎｔｌ［１］〜［３］の電位レベルＨ／Ｌに応じて導通／非導通が切り替わるトランスミッションゲートＴ１〜Ｔ３と、電源電位ＶＤＤと接地電位ＧＮＤの間に直列に接続された抵抗Ｒ１〜Ｒ４と、差動増幅器１１０と、から構成されている。
【００２６】
トランスミッションゲートＴ１は、抵抗Ｒ１とＲ２を接続する配線Ｎｄ１と、差動増幅器１１０の入力端子に接続される配線Ｎｄ４と、の間に接続されている。トランスミッションゲートＴ２は、抵抗Ｒ２とＲ３を接続する配線Ｎｄ２と配線Ｎｄ４との間に接続されている。トランスミッションゲートＴ３は、抵抗Ｒ３とＲ４を接続する配線Ｎｄ３と配線Ｎｄ４との間に接続されている。
【００２７】
制御信号Ｃｎｔｌ［１：３］＝（Ｈ，Ｌ，Ｌ）の時、トランスミッションゲートＴ１が導通状態、トランスミッションゲートＴ２，Ｔ３が非導通状態となり、配線Ｎｄ４には、電源電位ＶＤＤを抵抗分割した電位Ｖ１＝ＶＤＤ×（Ｒ２＋Ｒ３＋Ｒ４）／（Ｒ１＋Ｒ２＋Ｒ３＋Ｒ４）が出力される。
【００２８】
制御信号Ｃｎｔｌ［１：３］＝（Ｌ，Ｈ，Ｌ）の時、トランスミッションゲートＴ２が導通状態、トランスミッションゲートＴ１，Ｔ３が非導通状態となり、配線Ｎｄ４には、電源電位ＶＤＤを抵抗分割した電位Ｖ２＝ＶＤＤ×（Ｒ３＋Ｒ４）／（Ｒ１＋Ｒ２＋Ｒ３＋Ｒ４）が出力される。
【００２９】
制御信号Ｃｎｔｌ［１：３］＝（Ｌ，Ｌ，Ｈ）の時、トランスミッションゲートＴ３が導通状態、トランスミッションゲートＴ１，Ｔ２が非導通状態となり、配線Ｎｄ４には、電源電位ＶＤＤを抵抗分割した電位Ｖ３＝ＶＤＤ×Ｒ４／（Ｒ１＋Ｒ２＋Ｒ３＋Ｒ４）が出力される。
【００３０】
以上に述べた前記実施形態によれば、以下の効果が得られる。
【００３１】
本実施形態では、同じ電位の基準電圧を相互にノイズ干渉を受けずに複数の電子回路に供給することができるので、特定の電子回路のために基準電圧を変更しても他の全ての電子回路にも同じ基準電圧を供給でき、電子回路間の信号レベルを保証できる。さらに、基準電圧発生回路が発生する基準電圧の電圧値を外部からの制御信号により容易に変更できる。
【００３２】
以上、本発明の実施形態を説明したが、本発明はこうした実施の形態に何ら限定されるものではなく、本発明の趣旨を逸脱しない範囲内において様々な形態で実施し得ることができる。以下、変形例を挙げて説明する。
【００３３】
（変形例１）本発明に係る高周波モジュールの変形例１について説明する。前記第１実施形態では、図２に示すように、制御信号Ｃｎｔｌ［１：３］を並列に供給するため、３本の信号線を必要としたが、図３に示すように、基準電圧発生回路１００は、レジスタ１０１〜１０３が直列に接続され、クロック信号ＣＬＫに基づき制御信号Ｃｎｔｌ［１：３］を順次設定できるように構成してもよい。図３のように構成すれば、２本の信号線で制御信号Ｃｎｔｌ［１：３］を送ることができる。また、制御信号を３つの制御信号Ｃｎｔｌ［１：３］で制御する場合について説明したが、２つでも、または、４つ以上でも構わない。制御信号を４つ以上にすれば、より細かく基準電圧Ｖｒｅｆを制御することができる。
【００３４】
（変形例２）本発明に係る高周波モジュールの変形例２について説明する。前記第１実施形態では、ホスト回路５００がデータ信号Ｓｎ３に基づき制御信号Ｃｎｔｌ［１：３］を生成し基準電圧Ｖｒｅｆを変更するように説明したが、図４に示すように、デジタル回路３００がデジタル信号Ｓｎ２を解読した結果に基づき制御信号Ｃｎｔｌ［１：３］を生成し基準電圧Ｖｒｅｆを変更するようにしてもよい。
【００３５】
（変形例３）本発明に係る高周波モジュールの変形例３について説明する。前記第１実施形態では、ホスト回路５００がデータ信号Ｓｎ３に基づき制御信号Ｃｎｔｌ［１：３］を生成し基準電圧Ｖｒｅｆを変更するように説明したが、図５に示すように、高周波モジュール１に温度センサ６００を搭載し、環境温度の変化に基づき制御信号Ｃｎｔｌ［１：３］を生成し基準電圧Ｖｒｅｆを変更するようにしてもよい。
【００３６】
（変形例４）本発明に係る高周波モジュールの変形例４について説明する。前記第１実施形態では、ホスト回路５００がデータ信号Ｓｎ３に基づき制御信号Ｃｎｔｌ［１：３］を生成し基準電圧Ｖｒｅｆを変更するように説明したが、図６に示すように、高周波モジュール１に経時カウンタ６１０を搭載し、経時変化に基づき制御信号Ｃｎｔｌ［１：３］を生成し基準電圧Ｖｒｅｆを変更するようにしてもよい。
【図面の簡単な説明】
【００３７】
【図１】本発明の第１実施形態に係る高周波モジュールの構成を示すブロック図。
【図２】基準電圧発生回路の構成を示す回路図。
【図３】変形例１の基準電圧発生回路の構成を示す回路図。
【図４】変形例２の高周波モジュールの構成を示すブロック図。
【図５】変形例３の高周波モジュールの構成を示すブロック図。
【図６】変形例４の高周波モジュールの構成を示すブロック図。
【図７】従来の高周波モジュールの構成を示すブロック図。
【符号の説明】
【００３８】
１００…基準電圧発生回路、１０１〜１０３…レジスタ、１１０…差動増幅器、２００…高周波回路、２１０，３１０…バッファ回路、３００…デジタル回路、４００…アンテナ、５００…ホスト回路、６００…温度センサ、６１０…経時カウンタ。
【図１】
2008172473.tif 000003
【図２】
2008172473.tif 000004
【図３】
2008172473.tif 000005
【図４】
2008172473.tif 000006
【図５】
2008172473.tif 000007
【図６】
2008172473.tif 000008
【図７】
2008172473.tif 000009